(57)【要約】  印刷されたシート材料のためのピンコンベヤが、チェーンと、印刷されたシート材料を押すための、チェーンから延びた複数のピンと、印刷されたシート材料のための受取り領域とを有しており、チェーン及びピンが受け取り領域を通過するようになっている。受取り領域は、受取り領域を通過するチェーン及びピンを備えた非線形断面か、チェーンの傾斜した搬送区分か、又は印刷されたシート材料に接触する、チェーンの速度以下で走行するベルトのうちの少なくとも１つを有する。オーバーヘッド運搬ユニットを備えた引渡しユニット、及び印刷されたシート材料を排出する方法も提供される。
2007510609.tif 000002
【特許請求の範囲】
【請求項１】
印刷されたシート材料のためのピンコンベヤにおいて、
チェーンと、
印刷されたシート材料を押すための、チェーンから延びた複数のピンと、
印刷されたシート材料のための受取り領域とが設けられており、該受取り領域が、
受取り領域を通過するチェーン及びピンを備えた非線形横断面か、
チェーンの傾斜した搬送区分か、又は
印刷されたシート材料に接触しチェーンの速度以下で走行するベルト
のうちの少なくとも１つを有していることを特徴とする、印刷されたシート材料のためのピンコンベヤ。
【請求項２】
さらに、チェーンに対して平行に延びた付加的なピンチェーンが設けられている、請求項１記載のピンコンベヤ。
【請求項３】
前記受取り領域が、横断面を形成するようにチェーンに向かって傾斜した２つの側壁を有している、請求項１記載のピンコンベヤ。
【請求項４】
前記側壁が、チェーンに対して９０゜未満の角度だけ傾斜させられている、請求項１記載のピンコンベヤ。
【請求項５】
前記受取り領域が、チェーンに向かって傾斜したテープ又はローラを有している、請求項１記載のピンコンベヤ。
【請求項６】
前記受取り領域が非線形であり、チェーンが、受取り領域の断面の平坦な底部において走行する、請求項１記載のピンコンベヤ。
【請求項７】
前記受取り領域が非線形断面を有している、請求項１記載のピンコンベヤ。
【請求項８】
前記横断面が凹状である、請求項７記載のピンコンベヤ。
【請求項９】
前記受取り領域が、傾斜した搬送区分を有している、請求項１記載のピンコンベヤ。
【請求項１０】
傾斜した搬送区分は、４５゜未満の角度を有している、請求項９記載のピンコンベヤ。
【請求項１１】
前記受取り領域がベルトを有する、請求項１記載のピンコンベヤ。
【請求項１２】
前記ベルトが、ピンの速度の半分以上の速度で走行する、請求項１１記載のピンコンベヤ。
【請求項１３】
受取り領域が、非線形横断面と、傾斜した搬送区分と、ベルトとを有している、請求項１記載のピンコンベヤ。
【請求項１４】
チェーン及びピンが受取り領域を通過する、請求項１記載のピンコンベヤ。
【請求項１５】
印刷されたシート材料引渡しユニットにおいて、
チェーンと、印刷されたシート材料を押すための、チェーンから延びた複数のピンとを有するピンコンベヤが設けられており、印刷されたシート材料のための受取り領域が設けられており、該受取り領域が、該受取り領域を通過するチェーン及びピンを備えた非線形横断面か、チェーンの傾斜した搬送区分か、又は、印刷されたシート材料に接触しかつチェーンの速度以下で走行するベルトのうちの少なくとも１つを有しており、
印刷されたシート材料をピンコンベヤの受取り領域内へ解放するオーバーヘッド運搬ユニットが設けられている、印刷されたシート材料引渡しユニット。
【請求項１６】
前記オーバーヘッド運搬ユニットがグリッパコンベヤである、請求項１５記載の印刷されたシート材料引渡しユニット。
【請求項１７】
前記チェーン及びピンが受取り領域を通過する、請求項１５記載の印刷されたシート材料引渡しユニット。
【請求項１８】
印刷されたシート材料をグリッパからピンコンベヤへ排出する方法において、
印刷されたシート材料をグリッパを用いて掴むステップと、
印刷されたシート材料を受け取り領域においてピンコンベヤのピンの前方に排出するステップと、
受取り領域における非線形断面か、受取り領域における傾斜した製品経路か、又はピンの速度以下で走行する、受取り領域におけるベルトのうちの少なくとも１つを用いて、印刷されたシート材料をピンに対して揃えるステップとを含むことを特徴とする、印刷されたシート材料をグリッパからピンコンベヤへ排出する方法。
【発明の詳細な説明】
【技術分野】
【０００１】
本発明は、概して、グラフィックアート工業に関し、特に、印刷されたシート材料のためのピンコンベヤ及び引渡しユニット、及び印刷されたシート材料を引き渡すための方法に関する。
【０００２】
印刷機による印刷の後、印刷されたシート材料は裁断され、折り畳まれ、収集され、積層される。例えば、新聞のセクションはまとめられる。次いで、収集されたシート材料は、様々な形式で引き渡されかつ運搬される。
【０００３】
例えば、Heidelberger Druckmaschinen AG は、新聞セクションを掴み、これらの新聞セクションをピンコンベヤへ引き渡すNP125と呼ばれるグリッパを製造しており、このグリッパにおいて、ピンは、複数のピンチェーンを用いて水平方向の軌道に沿って新聞セクションを押す。例えば、イタリアのCMCは水平ピンコンベヤを製造している。
【０００４】
ドイツ連邦共和国特許出願公開第３２２０８０５号明細書は水平なピンコンベヤを開示している。
【０００５】
米国特許第６１６１８２７号明細書及び欧州特許第０８０６３９２号明細書は、最終的な印刷された製品を形成するために印刷された製品を収集するための方法及び装置を開示している。第１のコンベヤは第１の印刷された製品を保持し、第２のコンベヤは第２の印刷された製品を第１のコンベヤに引き渡し、第２の印刷された製品は第１の印刷された製品とまとめられる。運搬ユニットは、第２の製品を第２のコンベヤの支持部材に引き渡す。
【０００６】
欧州特許出願第１２４３５４１号明細書は、シートを波形にするためのプレス部材を含むシート排出装置を開示している。
【０００７】
発明の簡単な概要
印刷されたシート材料を水平なピンコンベヤに重力によって引き渡すことは、印刷されたシート材料がばらつかせる可能性がある。例えば、互いに直接に重なり合うべき新聞セクションは、１つのピンコンベヤエンベロープ内でずれ重ねられる、すなわち揃えられない可能性があり、このことは不適切な新聞の排出を生じる。
【０００８】
本発明の目的は、ばらつきを低減することができるピンコンベヤを提供することである。本発明の択一的な又は付加的な目的は、印刷されたシート材料の揃えを改良することができるピンコンベヤを提供することである。本発明のさらに別の付加的な又は択一的な目的は、２つの運搬ユニットの間への印刷されたシート材料の引渡しを改良することである。
【０００９】
本発明は、チェーンと、印刷されたシート材料を押すためにチェーンから延びた複数のピントを有しておりかつ印刷されたシート材料のための受取り領域を有するピンコンベヤを提供し、受取り領域は非線形横断面を有しており、チェーン及びピンは受取り領域を通過する。非線形横断面は印刷されたシート材料の剛性を高める助けになり、例えば概してＷ字形、Ｖ字形又はＵ字形の横断面を有していてよい。例えば、受取り領域の側部は傾斜又は湾曲した壁部、又は傾斜したローラ又はベルトである。側部は、搬送区分に落とされるシート材料のエネルギを低減するのを助ける。
【００１０】
チェーンに対して平行に延びた付加的なピンチェーンが設けられていてもよい。
【００１１】
例えば、受取り領域は、横断面を規定するようにチェーンに向かって傾斜させられた２つの側壁、又はチェーンに向かって傾斜させられたテープ又はローラを有している。好適には、ただし必ずしもではないが、チェーンは横断面の平坦な底部において延びている。
【００１２】
本発明は、チェーンと、印刷されたシート材料を押すためにチェーンから延びた複数のピンとを有するピンコンベヤをも提供し、チェーンが、印刷されたシート材料を受け取る傾斜した搬送区分を有している。ここで定義されるチェーンは、内側に歯が形成されたベルト等のベルトを含むことができ、ピンは、チェーンから垂直に延びた突起又はあらゆるその他の構造体であることができる。
【００１３】
印刷されたシート材料を受け取る傾斜した搬送区分は、ばらつきを低減することができ、シート材料をピンに対して押しつける重力を介した揃えを助ける。
【００１４】
傾斜した搬送区分は非線形横断面を形成している。
【００１５】
傾斜した搬送区分は、ピンと同じ方向に走行する少なくとも１つのベルトを有している。このベルトはピンと同じ速度で又はピンよりも低速で走行することができる。ベルトは、製品が受け取り領域において失速するのを阻止し、製品に対するピンの衝撃を低減する。
【００１６】
本発明は、オーバーヘッド運搬ユニットを含むシート材料引渡しユニットをも提供し、オーバーヘッド運搬ユニットは、印刷されたシート材料をピンコンベヤの搬送区分内へ解放する。オーバーヘッド運搬ユニットはグリッパコンベヤの形式であってよい。
【００１７】
本発明は、印刷されたシート材料をグリッパからピンコンベヤへ排出する方法をも提供し、この方法は、印刷されたシート材料をグリッパを用いて掴むステップと、受取り領域においてピンコンベヤのピンの前方に印刷されたシート材料を排出するステップと、受取り領域における非線形横断面か、受取り領域における傾斜した製品経路か又は受取り領域におけるベルトのうちの少なくとも１つの助けによって、印刷されたシート材料をピンに対して揃えるステップとを含んでいる。
【００１８】
印刷されたシート材料は少なくとも２つのセクションを備えた新聞であってよい。
【００１９】
図面の簡単な説明
本発明の典型的な実施形態は以下の図面を参照することによって以下に説明される：
図１は、印刷機及び折り機の下流における本発明によるシート材料引渡しユニットを側方から見た斜視図であり；
図２は、図示された印刷されたシート材料が引き渡されている、図１の装置を端部側から見た斜視図であり；
図３は、図１の引渡し領域のより詳細な図を示しており；
図４は、図１の装置の端部側から見た断面図を示しており；
図５、図６、図７及び図８は、図１の構成とは異なる構成の断面図を示している。
【００２０】
詳細な説明
図１は、軌道に沿って方向１３に移動するグリッパ１２を備えたグリッパコンベヤ１０を示している。グリッパコンベヤ１０はピンコンベヤ２０上を通過する。ピンコンベヤ２０は、ピン３２，３４を備えた２つのピンチェーン２２，２４を有しており、ピンはそれぞれ方向３６に移動する。受取り領域４０において、ピンチェーン２２，２４は傾斜させられているので、ピン３２，３４は上方へ移動する。傾斜角度は好適には４５゜未満、例えば１０゜である。
【００２１】
受取り領域４０におけるピンチェーン２２，２４の側部において、それぞれチェーン２２，２４に向かって傾斜させられた傾斜した壁部５２，５４が設けられている。これらの壁部５２，５４は定置の傾斜したフレーム６０に支持されている。好適には、チェーン２２，２４に向かっての壁部５２，５４の傾斜角度は９０゜未満、例えば２２．５゜である。傾斜角度５２，５４は、受取り領域４０のための非線形横断面を形成している。
【００２２】
チェーン２２，２４の間において、ピン３２，３４と同じ方向に走行するベルト６２が走行している。ベルト６２は、好適には、ピンの速度の半分よりも速い速度、例えばピンの速度の３分の２で走行する。
【００２３】
図２及び図３は、新聞１４がグリッパ１２によってピンコンベヤ２０にどのように引き渡されるかを示しており、新聞１４は、一方が他方の内側に折り込まれた又は互いに重ね合わされた２つの新聞セクションを含んでいる。グリッパ１２からの解放の後、受取り領域４０における傾斜した壁部５２，５４は、落下によって生ぜしめられるエネルギを散逸させるのを助け、新聞１４を側部１６において折り曲げて剛性を増大させる。重力と、ピン３２，３４よりも低速で走行するベルト６２とは、新聞をピン３２，３４に対して揃えるのを助ける。雑誌等の１つの物品は、グリッパから落下させられ、製品の整合を容易にするためにピンに対して揃えられることもできる。
【００２４】
図４は、図１の実施形態の端部側から見た断面図を示しており、この図は、壁部５２，５４と、ピンチェーン２２，２４と、ベルト６２とによって形成された受取り領域における非線形横断面を示している。
【００２５】
図５は、側壁８２，８４が湾曲している択一的な実施形態を示している。図６は、受取り領域においてローラ９２，９４がピン３２，３４に向かって傾斜している択一的な実施形態を示している。図７は、ベルト７２，７４がピン３２，３４の側部において角度を成して延びている別の実施形態を示している。図８は、側壁８５，８７が印刷された製品にＷ字形を形成する別の実施形態を示している。
【００２６】
受取り領域における非線形横断面が存在する別の実施形態も可能である。非線形横断面は、一方の側のみが受け取り領域の底部に対して傾斜又は湾曲している場合を含むとここでは理解される。
【図面の簡単な説明】
【００２７】
【図１】印刷機及び折り機の下流における本発明によるシート材料引渡しユニットを側方から見た斜視図である。
【図２】図示された印刷されたシート材料が引き渡されている、図１の装置を端部側から見た斜視図である。
【図３】図１の引渡し領域のより詳細な図を示している。
【図４】図１の装置の端部側から見た断面図を示している。
【図５】側壁が湾曲している択一的な実施形態を示している。
【図６】受取り領域においてローラがピンに向かって傾斜している択一的な実施形態を示している。
【図７】ベルトがピンの側部において角度を成して延びている別の実施形態を示している。
【図８】側壁が印刷された製品においてＷ字形を形成する別の実施形態を示している。
【符号の説明】
【００２８】
１０  グリッパコンベヤ、  １２  グリッパ、  １４  新聞、  １６  側部、  ２０  ピンコンベヤ、  ２２，２４  ピンチェーン、  ３２，３４  ピン、  ５２，５４  壁部、  ６２  ベルト、  ７２，７４  ベルト、  ８２，８４  側壁、  ８５，８７  側壁、  ９２，９４  ローラ
【図１】
2007510609.tif 000003
【図２】
2007510609.tif 000004
【図３】
2007510609.tif 000005
【図４】
2007510609.tif 000006
【図５】
2007510609.tif 000007
【図６】
2007510609.tif 000008
【図７】
2007510609.tif 000009
【図８】
2007510609.tif 000010
【国際調査報告】
2007510609.tif 000011
2007510609.tif 000012